(57)【要約】【課題】アナログ放送が終了した時に無駄になる、アナログ放送用の表示発生回路を有効利用して、外部入力数を増やしたデジタルテレビ受像機を提供する。【解決手段】制御部２は、計時部において計時している現在時刻が所定時刻になると、現行のアナログ放送が終了したかどうか判定する。現行のアナログ放送が終了したと判定すると、制御部２は、図１に示すスケーラＩＣ８及び音声処理部９への入力を受信部３から外部入力端子２２に切替えるよう切替部６、７に指示する。この結果、外部入力２１のほか、外部入力２２が使用可能となり、ユーザは、その外部入力２２にプレーヤーをもう一台接続して再生することができる。この後、操作部１２で外部入力２２を指定し、ブルーレイプレーヤ４００を再生すると、ユーザは、ブルーレイディスクのコンテンツをＴＶ１０１で視聴できる。【選択図】  図１
2009147803.tif 000002
【特許請求の範囲】
【請求項１】
デジタル放送のテレビ放送信号とアナログ放送のテレビ放送信号との内、いずれか一方のテレビ放送信号を受信する受信手段と、
前記受信手段で受信されたテレビ放送信号を処理して、テレビ番組の画像を表示するとともに該テレビ番組の音声を発生する表示発生手段と、を備えたデジタルテレビ受像機において、
前記受信手段と前記表示発生手段とを連結し、前記受信手段で受信されたアナログ放送のテレビ放送信号を前記表示発生手段に中継する中継手段と、
メディアを再生して、その再生信号を出力する再生装置が接続される外部入力端子と、を備え、
前記中継手段は、アナログ放送の終了によりアナログ放送のテレビ放送信号が前記受信手段で受信できなくなった時、前記表示発生手段への入力を前記受信手段から前記外部入力端子に切替えて前記外部入力端子と前記表示発生手段とを連結し、前記外部入力端子から入力された前記再生信号を前記表示発生手段に中継し、
前記表示発生手段は、前記中継手段で中継された前記再生信号を処理して、コンテンツの画像を表示するとともに該コンテンツの音声を発生するデジタルテレビ受像機。
【請求項２】
前記中継手段は、
所定のタイミングで、第１の周波数から第２の周波数までアナログ放送のテレビ放送信号があるか否か前記受信手段でサーチし、
そのサーチの結果、アナログ放送のテレビ放送信号が見つからなかった時、アナログ放送の終了によりアナログ放送のテレビ放送信号が前記受信手段で受信できなくなった時と判定する請求項１に記載のデジタルテレビ受像機。
【請求項３】
アナログ放送の終了を設定する操作手段を備え、
前記中継手段は、前記操作手段でアナログ放送の終了を設定されると、アナログ放送の終了によりアナログ放送のテレビ放送信号が前記受信手段で受信できなくなった時と判定する請求項１又は２に記載のデジタルテレビ受像機。
【請求項４】
前記表示発生手段は、前記受信手段で受信されたテレビ放送信号を処理してテレビ番組の画像を画面に表示する画像表示手段と、前記受信手段で受信されたテレビ放送信号を処理して該テレビ番組の音声をスピーカーから発生する音声発生手段と、からなり、
前記中継手段は、
前記画像表示手段への入力を前記受信手段から前記外部入力端子に切替えて前記外部入力端子と前記画像表示手段とを連結する第１の切替部と、
前記音声発生手段への入力を前記受信手段から前記外部入力端子に切替えて前記外部入力端子と前記音声発生手段とを連結する第２の切替部と、からなる請求項１から３のいずれかに記載のデジタルテレビ受像機。
【発明の詳細な説明】
【技術分野】
【０００１】
本発明は、アナログ放送を受信する機能とデジタル放送を受信する機能とを有するデジタルテレビ受像機に関し、特にアナログ放送の終了に関するものである。
【背景技術】
【０００２】
日本では、２０１１年７月に地上アナログ放送が停波し、完全にデジタル放送に移行することになっている。このようなアナログ放送からデジタル放送への移行期用として、アナログ放送を受信する機能とデジタル放送を受信する機能との両機能を有するデジタルテレビ受像機が広く一般に普及している。
【０００３】
このようなデジタルテレビ受像機は、受信したアナログ放送のテレビ放送信号を処理して、アナログ放送のテレビ番組の画像を表示するとともに該テレビ番組の音声を発生するアナログ放送用の表示発生回路も有している。これにより、ユーザは、アナログ放送が終了するまで、アナログ放送で放送されるテレビ番組をデジタルテレビ受像機によって視聴できる。
なお、放送受信装置が提案されている（特許文献１参照）。
【特許文献１】特開２００６−１０８９７４公報
【発明の開示】
【発明が解決しようとする課題】
【０００４】
しかしながら、アナログ放送が終了すると、アナログ放送のテレビ放送信号が受信されなくなってしまう。即ち、アナログ放送のテレビ放送信号を処理することも無くなるため、アナログ放送用の表示発生回路は使用されなくなってしまう。
従って、従来のデジタルテレビ受像機では、アナログ放送が終了した後、その表示発生回路が無駄になってしまうという問題があった。
【０００５】
本発明はこのような従来の課題を解決しようとするものであり、アナログ放送が終了した時に無駄になる、アナログ放送用の表示発生回路を有効利用して、外部入力数を増やしたデジタルテレビ受像機を提供することを目的とする。
【課題を解決するための手段】
【０００６】
本発明のデジタルテレビ受像機は、前記課題を解決するために以下の構成を備えている。
【０００７】
（１）デジタル放送のテレビ放送信号とアナログ放送のテレビ放送信号との内、いずれか一方のテレビ放送信号を受信する受信手段と、
前記受信手段で受信されたテレビ放送信号を処理して、テレビ番組の画像を表示するとともに該テレビ番組の音声を発生する表示発生手段と、を備えたデジタルテレビ受像機において、
前記受信手段と前記表示発生手段とを連結し、前記受信手段で受信されたアナログ放送のテレビ放送信号を前記表示発生手段に中継する中継手段と、
メディアを再生して、その再生信号を出力する再生装置が接続される外部入力端子と、を備え、
前記中継手段は、アナログ放送の終了によりアナログ放送のテレビ放送信号が前記受信手段で受信できなくなった時、前記表示発生手段への入力を前記受信手段から前記外部入力端子に切替えて前記外部入力端子と前記表示発生手段とを連結し、前記外部入力端子から入力された前記再生信号を前記表示発生手段に中継し、
前記表示発生手段は、前記中継手段で中継された前記再生信号を処理して、コンテンツの画像を表示するとともに該コンテンツの音声を発生する。
【０００８】
この構成では、アナログ放送が終了すると、アナログ放送のテレビ放送信号が受信手段で受信されなくなってしまう。そして、アナログ放送のテレビ放送信号を処理することも無くなるため、アナログ放送用の表示発生手段が使用されなくなってしまう。
この構成においては、アナログ放送のテレビ放送信号が受信手段で受信されなくなると、中継手段が表示発生手段と上記外部入力端子とを連結する。上記外部入力端子に接続される再生装置は、例えばＤＶＤプレーヤ、ブルーレイプレーヤである。この連結により、新たな外部入力端子が使用可能となり、ユーザは、この外部入力端子に再生装置を接続して再生できるようになる。ここで、メディアが再生されると、その再生信号が外部入力端子に入力され、中継手段を介して表示発生手段に伝送される。そして、その再生信号は、表示発生手段で処理されて、コンテンツの画像が表示されるとともに音声が発生する。これにより、ユーザは、メディアのコンテンツをデジタルテレビ受像機で視聴する。
以上のようにして、アナログ放送が終了した時に無駄になる、アナログ放送用の表示発生手段を外部入力用として有効利用して、外部入力数を増やしている。従って、ユーザは、この外部入力に再生装置を接続して再生できるようになる。
【０００９】
（２）前記中継手段は、
所定のタイミングで、第１の周波数から第２の周波数までアナログ放送のテレビ放送信号があるか否か前記受信手段でサーチし、
そのサーチの結果、アナログ放送のテレビ放送信号が見つからなかった時、アナログ放送の終了によりアナログ放送のテレビ放送信号が前記受信手段で受信できなくなった時と判定する。
【００１０】
この構成では、アナログ放送が終了したかどうかを判定する判定方法を明示している。ここで、第１の周波数から第２の周波数までの周波数とは、現行のアナログ放送で使用されている周波数のことである。そのため、第１の周波数から第２の周波数までの周波数は、例えば470MHz〜770MHzである。
【００１１】
（３）アナログ放送の終了を設定する操作手段を備え、
前記中継手段は、前記操作手段でアナログ放送の終了を設定されると、アナログ放送の終了によりアナログ放送のテレビ放送信号が前記受信手段で受信できなくなった時と判定する。
【００１２】
この構成では、アナログ放送の終了を操作手段でユーザに設定させる。この結果、中継手段は、上記（２）のサーチを行わず、ユーザの指示に従って表示発生手段への入力を受信手段から外部入力端子に切替える。これにより、デジタルテレビ受像機は、上記（２）のサーチを行わなくとも済む。従って、デジタルテレビ受像機の消費電力量を削減できる。
【００１３】
（４）前記表示発生手段は、前記受信手段で受信されたテレビ放送信号を処理してテレビ番組の画像を画面に表示する画像表示手段と、前記受信手段で受信されたテレビ放送信号を処理して該テレビ番組の音声をスピーカーから発生する音声発生手段と、からなり、
前記中継手段は、
前記画像表示手段への入力を前記受信手段から前記外部入力端子に切替えて前記外部入力端子と前記画像表示手段とを連結する第１の切替部と、
前記音声発生手段への入力を前記受信手段から前記外部入力端子に切替えて前記外部入力端子と前記音声発生手段とを連結する第２の切替部と、からなる。
【発明の効果】
【００１４】
この発明によれば、外部入力数を増やすことができる。従って、ユーザは、この外部入力に再生装置を接続して再生できるようになる。
【発明を実施するための最良の形態】
【００１５】
以下、本発明の実施形態であるディジタルテレビジョンについて説明する。
【００１６】
図１は、本発明の実施形態であるディジタルテレビジョンの主要な構成を示すブロック図である。この図では、アナログ放送からデジタル放送への移行期での構成を示している。ディジタルテレビジョン（以下、TVと称する）１０１は、装置の各部の動作を制御する制御部２と、アナログのテレビ放送信号ととを受信する受信部３と、復調したディジタルデータから画像データと音声データとを分離し、両データを伸長するデコードＩＣ４と、所望のＯＳＤ（On  Screen  Display）と画像データに基づく画像とを合成する画像合成部５と、画像信号を処理するスケーラーＩＣ８と、音声信号を処理する音声処理部９と、ユーザの操作を受付ける操作部１２と、ＰＳＩ／ＳＩデータを記憶する制御データメモリ１４と、制御プログラムを記憶するＲＯＭ１３と、画像を表示する表示部１０と、音声を装置外部に発生するスピーカ１１と、を備える。
さらに、TV１０１は、受信部３とスケーラーＩＣ８を連結し、アナログの画像信号を中継する切替部６と、受信部３と音声処理部９を連結し、アナログの音声信号を中継する切替部７と、ＤＶＤプレーヤ３００がケーブル３２１を介して接続される外部入力端子２１と、ブルーレイプレーヤ４００がケーブル４２２を介して接続される外部入力端子２２と、を備える。
【００１７】
ここで、受信部３が、本発明の「受信手段」に相当する。また、スケーラＩＣ８、音声処理部９、表示部１０、及びスピーカ１１が、本発明の「表示発生手段」に相当する。これらの内のスケーラＩＣ８及び表示部１０が、本発明の「画像表示手段」に相当する。これらの内の音声処理部９及びスピーカ１１が、本発明の「音声発生手段」に相当する。また、切替部６、７が、本発明の「中継手段」に相当する。また、外部入力端子２２が、本発明「外部入力端子」に相当する。また、ブルーレイプレーヤ４００が、本発明「再生装置」に相当する。
【００１８】
なお、放送局は、番組の他に、各チャンネルで放送されているテレビ番組の属性（番組名、出演者等）を示すＰＳＩ／ＳＩデータを送信している。ＰＳＩ／ＳＩデータには、後述のトランスポートストリームに関するストリーム構成情報、放送局に関する放送局情報、番組配列情報などが含まれる。ＰＳＩ／ＳＩデータには、各チャンネルで放送されているテレビ番組を特定する番組特定情報が記述されているＥＰＧ（電子番組表情報）も含まれる。
【００１９】
ＲＯＭ１３は、装置本体各部の制御方法が記述された制御プログラムを予め記憶する。
制御部２は、例えばマイクロコンピュータで構成される。制御部２は、上記制御プログラムにより処理されるデータ等を展開するためのワークフィールドとしてのRAM（不図示）と、現在時刻を計時する計時部（不図示）と、を内蔵する。
【００２０】
操作部１２には、EPGの表示、電源のON／OFF、アナログ放送とディジタル放送と外部入力２１と外部入力２２との指定、チャンネル（以下、CHと称する）の選択、音量の調整等の命令（コマンド）を入力するための複数のキーが設けられている。操作部１２は入力された命令を制御部２に伝送する。
上記複数のキーには、例えば所望の番組のチャンネルを選択するチャンネル選択キーが挙げられる。
また、リモコン２００には、操作部１２と同じキーが設けられている。リモコン２００で入力される命令は、操作部１２に設けられた受光部１２Ａで受信される。そして、操作部１２は該命令を制御部２に伝送する。
【００２１】
まず、操作部１２でディジタル放送が指定されている場面について説明する。
受信部３は、不図示のディジタルチューナ及びアナログチューナを内蔵する。受信部３は、アンテナ３０で受信しているディジタル放送波から、制御部２の指示に基づいて、選択されているチャンネルの周波数帯域で放送されるテレビ番組のディジタル放送波を受信する。さらに、受信部３は、そのディジタル放送波をディジタルデータであるトランスポートストリームに復調し、デコードＩＣ４に出力する。
【００２２】
デコードＩＣ４は、受信部３から出力されたトランスポートストリームから、画像データと音声データとＰＳＩ／ＳＩデータとを分離抽出する。ここで、分離抽出された画像データは、例えばMPEGでエンコードされている。そして、デコードＩＣ４は、画像データをデコードする。最後に、デコードＩＣ４は、画像データを画像合成部５を介してスケーラーＩＣ８に出力する。また、デコードＩＣ４は、音声データをデコードし、音声処理部９に出力する。
画像合成部５は、不図示の画像メモリを内蔵する。画像合成部５は、制御部２の指示に基づいて、画像データに基づく画像と、画像メモリが記憶している文字又は図形と、を合成する。画像合成部５は、その合成された画像データをスケーラーＩＣ８に出力する。
【００２３】
スケーラーＩＣ８は、デコードＩＣ４が出力した画像データの信号をアナログの再生画像信号に変換するＡＤ変換部８Ａを有する。ＡＤ変換部８Ａには、デコードＩＣ４が出力した画像データの信号が入力される入力ピン（不図示）が含まれる。さらに、スケーラーＩＣ８は、アナログの再生画像信号を処理（走査など）して、その画像を表示部１０に出力する。表示部１０は、例えばプラズマディスプレイやLCD（Liquid Crystal Display）である。
一方、音声処理部９は、デコードＩＣ４が出力した音声データの信号をアナログの再生音声信号に変換するＡＤ変換部９Ａを有する。ＡＤ変換部９Ａには、デコードＩＣ４が出力した音声データの信号が入力される入力ピン（不図示）が含まれる。さらに、音声処理部９は、アナログの再生音声信号を処理（増幅など）して、その音声をスピーカ１１に出力する。
以上より、ユーザは、表示部１０およびスピーカ１１において、スケーラーＩＣ８から出力された再生画像信号に基づく画像と、音声処理部９から出力された再生音声信号に基づく音声と、を視聴する。これにより、ユーザは、ディジタル放送のテレビ番組を視聴できる。
【００２４】
なお、デコードＩＣ４は、上記で分離したＰＳＩ／ＳＩデータを制御部２に出力する。制御部２は、デコードＩＣ４から出力されたＰＳＩ／ＳＩデータを制御データメモリ１４に記録する。制御データメモリ１４は、例えばEEPROMで構成される。このＰＳＩ／ＳＩデータには、上記のようにＥＰＧの情報が含まれている。ＥＰＧの表示がリモコン２００で指示されると、制御部２は、画像合成部５を用いてＥＰＧを表示部１０に表示する。
【００２５】
次に、操作部１２でアナログ放送が指定されている場面について説明する。
受信部３は、アンテナ３０で受信しているアナログ放送波から、制御部２の指示に基づいて、選択されているチャンネルの周波数帯域で放送されるテレビ番組のアナログ放送波を受信する。さらに、受信部３は、そのアナログ放送波を復調し、アナログ放送波の画像信号と音声信号とをスケーラＩＣ８に出力する。これにより、画像信号は、切替部６を介してスケーラＩＣ８の入力ピン８Ｃに入力される。音声信号は、切替部７を介して音声処理部９の入力ピン９Ｃに入力される。
【００２６】
スケーラーＩＣ８は、受信部３が出力した画像信号を再生画像信号として入力する入力ピン８Ｃを有する。さらに、スケーラーＩＣ８は、アナログの再生画像信号を処理（走査など）して、その画像を表示部１０に出力する。
音声処理部９は、受信部３が出力した音声信号を再生音声信号として入力する入力ピン９Ｃを有する。さらに、音声処理部９は、アナログの再生音声信号を処理（増幅など）して、その音声をスピーカ１１に出力する。
以上により、ユーザは、アナログ放送のテレビ番組を視聴できる。
【００２７】
最後に、操作部１２で外部入力２１が指定された場面について説明する。
ＤＶＤプレーヤ３００は、セットされたＤＶＤを再生して、ＤＶＤのコンテンツを示すアナログの再生信号を出力する。出力された再生信号は、ケーブル３２１を介して外部入力端子２１に入力する。さらに、その再生信号の内の再生画像信号は、外部入力端子２１を介してスケーラＩＣ８の入力ピン８Ｂに入力される。また、その再生信号の内の再生音声信号は、外部入力端子２１を介して音声処理部９の入力ピン９Ｂに入力される。
【００２８】
スケーラーＩＣ８は、外部入力端子２１から伝送される再生画像信号を入力する入力ピン８Ｂを有する。さらに、スケーラーＩＣ８は、アナログの再生画像信号を処理（走査など）して、その画像を表示部１０に出力する。
音声処理部９は、外部入力端子２１から伝送される再生音声信号を入力する入力ピン９Ｂを有する。さらに、音声処理部９は、アナログの再生音声信号を処理（増幅など）して、その音声をスピーカ１１に出力する。
以上により、ユーザは、ＤＶＤのコンテンツを視聴できる。
【００２９】
ここで、アナログ放送が終了すると、アナログ放送のテレビ放送信号が受信されなくなってしまう。即ち、アナログ放送のテレビ放送信号を処理することも無くなるため、アナログ放送用の表示発生回路は使用されなくなってしまう。この表示発生回路とは、スケーラＩＣ８中の入力ピン８Ｃ及びその周辺回路と、音声処理部９中の入力ピン９Ｃ及びその周辺回路と、に相当する（図１参照）。
そこで、本実施形態では、切替部６、７を設け、アナログ放送が終了した時に無駄になる、アナログ放送用の表示発生回路を有効利用している。
【００３０】
図２は、本発明の実施形態であるディジタルテレビジョンの制御部が行う動作を示すフローチャートである。図３は、本発明の実施形態であるディジタルテレビジョンの主要な構成を示すブロック図である。図３では、アナログ放送が終了した時の構成を示している。
【００３１】
制御部２は、計時部において計時している現在時刻が所定時刻になると（Ｓ１）、現行のアナログ放送が終了したかどうか判定する（Ｓ２）。Ｓ１の所定時刻は、例えば１０：００、２０：００である。Ｓ２の判定は、第１の周波数から第２の周波数までアナログ放送のテレビ放送信号があるか否か受信部３でサーチすることにより行われる。第１の周波数から第２の周波数までの周波数とは、現行のアナログ放送で使用されている周波数のことである。そのため、第１の周波数から第２の周波数までの周波数は、例えば470MHz〜770MHzである。そして、そのサーチの結果、アナログ放送のテレビ放送信号が見つからなかった時、制御部２は、現行のアナログ放送が終了した時と判定する。
なお、制御部２は、Ｓ２の判定を、アナログのチャンネルを数回アップダウンして、アナログ放送のテレビ放送信号があるか否か受信部３でサーチすることにより行っても構わない。そして、そのサーチの結果、アナログ放送のテレビ放送信号が見つからなかった時、制御部２は、現行のアナログ放送が終了した時と判定する。
【００３２】
現行のアナログ放送が終了していないと判定すると、即ち、アナログ放送からデジタル放送への移行期間である場合、制御部２は、Ｓ１へ戻り処理を継続する。
【００３３】
一方、現行のアナログ放送が終了したと判定すると、制御部２は、図１に示すスケーラＩＣ８及び音声処理部９への入力を受信部３から外部入力端子２２に切替えるよう切替部６、７に指示し（Ｓ３）、本処理を終了する。この指示により、切替部６は、外部入力端子２２とスケーラーＩＣ８を連結する（図３参照）。さらに、切替部７も、外部入力端子２２と音声処理部９を連結する（図３参照）。この連結により、新たな外部入力端子２２が使用可能となり、ユーザは、この外部入力端子２２に再生装置を接続して再生できるようになる。操作部１２で外部入力２２を指定し、例えばブルーレイプレーヤ４００を接続して再生すると、ユーザは、ブルーレイディスクのコンテンツをＴＶ１０１で視聴できる。詳述すると、ブルーレイプレーヤ４００は、セットされたブルーレイディスクを再生して、ブルーレイディスクのコンテンツを示すアナログの再生信号を出力する。出力された再生信号は、ケーブル４２２を介して外部入力端子２２に入力する。さらに、その再生信号の内の再生画像信号は、切替部６で中継されて、スケーラＩＣ８の入力ピン８Ｃに入力される。また、その再生信号の内の再生音声信号は、切替部７で中継されて、音声処理部９の入力ピン９Ｃに入力される。スケーラーＩＣ８は、アナログの再生画像信号を処理（走査など）して、その画像を表示部１０に出力する。さらに、音声処理部９は、アナログの再生音声信号を処理（増幅など）して、その音声をスピーカ１１に出力する。この結果、ユーザは、ブルーレイディスクのコンテンツをＴＶ１０１で視聴する。
【００３４】
以上のように、アナログ放送が終了した時に無駄になる、アナログ放送用の表示発生回路を外部入力２２用として有効利用して、外部入力数を増やしている。従って、ユーザは、この外部入力２２に、例えばブルーレイプレーヤを接続して再生できるようになる。
【００３５】
また、本発明の実施形態は、以下の変形例を採用することができる。
【００３６】
アナログ放送の終了を設定するためのアナログ放送終了キーを設け、アナログ放送の終了後にアナログ放送終了キーをユーザに押下させても構わない。
アナログ放送終了キーが押下されると、制御部２は、図２に示すＳ１及びＳ２の処理をスルーし、Ｓ３の処理を実行する。これにより、ＴＶ１０１は、現行のアナログ放送が終了したかどうかの判定を行わなくとも済む。従って、ＴＶ１０１の消費電力量を削減できる。
【図面の簡単な説明】
【００３７】
【図１】本発明の実施形態であるディジタルテレビジョンの主要な構成を示すブロック図
【図２】本発明の実施形態であるディジタルテレビジョンの制御部が行う動作を示すフローチャート
【図３】本発明の実施形態であるディジタルテレビジョンの主要な構成を示すブロック図
【符号の説明】
【００３８】
２−制御部
３−受信部
４−デコードＩＣ
５−画像合成部
６、７−切替部
８−スケーラＩＣ
８Ａ−ＡＤ変換部
８Ｂ−入力ピン
８Ｃ−入力ピン
９−音声処理部
９Ａ−ＡＤ変換部
９Ｂ−入力ピン
９Ｃ−入力ピン
１０−表示部
１１−スピーカ
１２−操作部
１２Ａ−受光部
１３−ＲＯＭ
１４−制御データメモリ
２１−外部入力端子
２２−外部入力端子
３０−アンテナ
１０１−ＴＶ
２００−リモコン
３００−ＤＶＤプレーヤ
３２１−ケーブル
４００−ブルーレイプレーヤ
４２２−ケーブル
【図１】
2009147803.tif 000003
【図２】
2009147803.tif 000004
【図３】
2009147803.tif 000005